(57)【特許請求の範囲】
【請求項１】
帯状の本体部と当該本体部の側辺に一体に設けられるフランジ部とを有して地盤中に埋設された杭を引き抜く油圧式引き抜き装置であって、
前記杭を囲むように地盤表面に配置される架台フレームと、
当該架台フレームに固定された複数本の支柱の上に載置され、前記杭の前記本体部を両面から押圧する締結ジャッキが設けられた反力フレームと、
前記架台フレームに取り付けられ、前記杭が前記反力フレームに前記締結ジャッキにより締結された状態のもとで前記反力フレームを上昇させる引き抜きジャッキとを有し、
前記杭に対する前記地盤表面の傾斜に対応させて傾動するユニバーサルヘッドを前記引き抜きジャッキの先端に設けることを特徴とする油圧式引き抜き装置。
【請求項２】
前記杭の前記本体部の両側に対応させて２つの締結ジャッキを前記反力フレームに設け、それぞれの前記締結ジャッキの先端に前記杭の本体部に接触するチャッキング部材を設けることを特徴とする請求項１記載の油圧式引き抜き装置。
【請求項３】
前記架台フレームに前記杭の前記本体部の一方面に対して接近離反移動自在に第１の土べらを装着するとともに前記本体部の他方面に対して接近離反移動自在に第２の土べらを装着し、それぞれの前記土べらに前記本体部に向かう方向の押圧力を付勢する付勢手段を前記架台フレームに装着することを特徴とする請求項１または２記載の油圧式引き抜き装置。
【請求項４】
前記付勢手段をばね部材により構成することを特徴とする請求項３記載の油圧式引き抜き装置。
【請求項５】
前記杭を前記本体部の両側辺に一体にフランジ部が設けられたＨ形鋼ないしＩ形鋼とし、それぞれの前記土べらを前記両辺のフランジ部間の間隔に対応させて交換自在に前記架台フレームに装着することを特徴とする請求項３または４記載の油圧式引き抜き装置。
【発明の詳細な説明】
【技術分野】
【０００１】
本発明は、Ｈ形鋼やＩ形鋼あるいは鋼矢板等からなり地盤中に埋め込まれた杭を引き抜いて撤去する油圧式引き抜き装置に関するものである。
【背景技術】
【０００２】
地盤中に埋め込まれたＨ形鋼や鋼矢板等からなる杭を引き抜くために、クレーン車に搭載するようにした引き抜き装置としては、多滑車式の杭抜き機が設けられたアタッチメントをクレーン車に搭載するようにしたタイプのものがある。この引き抜き装置により杭の引き抜きを行う場合には、埋め込まれた杭の近くにアタッチメントを配置し、杭のウエブにチャックを噛み合わせた状態のもとでクレーンのウインチワイヤロープを多滑車によりチャックを上昇させることにより引き抜き作業を行うようにしている。
【０００３】
さらに、クレーン車に搭載するようにした引き抜き装置としては、クレーンのウインチワイヤロープに設けられたフックに装着するようにした高周波振動杭打機がある。この杭打機には偏心モーメントを有しモータにより回転駆動される軸が組み込まれており、モータにより杭に振動を加えながら引き抜き作業を行うようにしている。
【０００４】
一方、トラクタ等の土木建築作業車に搭載するようにした杭抜き機としては油圧圧入機があり、このタイプの杭抜き機は作業車に搭載された油圧式のチャックを油圧により上下動するようにしており、杭の引き抜き時には振動を加えることがないので、作業時には騒音の発生がないという利点がある。
【０００５】
また、油圧式の杭抜き機として、特許文献１には、鋼矢板を引き抜くために、鋼矢板を掴むチャックが設けられて鋼矢板を跨ぐように配置される圧抜機が記載されており、引き抜き時に鋼矢板に付着している土砂を除去するために、地表面に押さえ板を配置するようにしている。
【特許文献１】特開平１０−１４０５６９号公報
【発明の開示】
【発明が解決しようとする課題】
【０００６】
上述のように、引き抜き装置をクレーンや土木作業車に搭載するようにした場合には、撤去すべき杭の周囲に大型のクレーン車や作業車を接近させるために、杭の周囲に広い作業スペースが必要であり、杭の近くに建築物等の障害物が存在すると、杭の撤去作業を行うことができず、撤去作業を行うことができる場所には限度があった。
【０００７】
また、杭抜き作業時に杭に振動を加えるようにしたタイプの杭抜き機は、作業場所の周囲に振動や騒音が伝わるので、杭の周囲に住宅や建築物が存在する場合には使用することができなかった。
【０００８】
一方、特許文献１に記載されるように、クレーン車や土木作業車に搭載することなく、直接鋼矢板に取り付けるようにした杭抜き機は、騒音を発生させることなく、鋼矢板の周囲に広いスペースが存在しなくとも引き抜き作業を行うことができるという利点がある反面、傾斜して埋め込まれた鋼矢板を引き抜くには、鋼矢板を所定の長さ引き抜いた後に引き抜き機と押さえ板を水平方向にずらす必要があり、連続的に引き抜き作業を行うことができなかった。
【０００９】
また、鋼矢板の表面に接近させて押さえ板を配置すると、鋼矢板の表面に突起物がある場合には、引き抜き時に突起物が押さえ板に衝突し、引き抜き作業を長時間中断しなければならないので、押さえ板の先端と鋼矢板の表面との間に十分な間隔を持たせると、引き抜かれた鋼矢板の表面に土砂が付着することになり、作業性が悪いという問題点があった。
【００１０】
そこで、本発明は、引き抜く杭の周囲に広いスペースが確保されていなくとも、杭の引き抜き作業を行うことができる油圧式引き機装置を提供することを目的とする。
【００１１】
また、本発明は、埋め込まれた杭が傾斜していても、連続的に杭の引き抜き作業を行うことができる油圧式引き抜き装置を提供することを目的とする。
【００１２】
さらに、本発明は、杭の引き抜き作業により杭の表面から確実に土砂を除去することができ、杭の表面に突起物が固定されていても、迅速に引き抜き作業を再開することができる油圧式引き抜き装置を提供することを目的とする。
【課題を解決するための手段】
【００１３】
上記課題を解決するため、本発明の油圧式引き抜き装置は、帯状の本体部と当該本体部の側辺に一体に設けられるフランジ部とを有して地盤中に埋設された杭を引き抜く油圧式引き抜き装置であって、前記杭を囲むように地盤表面に配置される架台フレームと、当該架台フレームに固定された複数本の支柱の上に載置され、前記杭の前記本体部を両面から押圧する締結ジャッキが設けられた反力フレームと、前記架台フレームに取り付けられ、前記杭が前記反力フレームに前記締結ジャッキにより締結された状態のもとで前記反力フレームを上昇させる引き抜きジャッキとを有し、前記杭に対する前記地盤表面の傾斜に対応させて傾動するユニバーサルヘッドを前記引き抜きジャッキの先端に設けることを特徴とする。
【００１４】
このように、支柱が固定された架台フレームとこれの上に載置される反力フレームとを有し、これらが分割される構造となっており、それぞれが軽量かつコンパクトとなっているので、引き抜くべき杭の周囲に広いスペースが確保されない場合でも確実に杭抜き作業を行うことができる。また、それぞれの支柱と反力フレームとの間にはユニバーサルヘッドが設けられており、反力フレームは架台フレームに対して傾斜移動できるので、地盤が傾斜していても杭の引き抜き作業を円滑に行うことができる。
【００１５】
本発明の好ましい形態において、前記杭の前記本体部の両側に対応させて２つの締結ジャッキを前記反力フレームに設け、それぞれの前記締結ジャッキの先端に前記杭の本体部に接触するチャッキング部材を設けることを特徴とする。これにより、杭の両側から締結ジャッキにより締め付けて杭を反力フレームに締結することができる。
【００１６】
本発明の好ましい形態において、前記架台フレームに前記杭の前記本体部の一方面に対して接近離反移動自在に第１の土べらを装着するとともに前記本体部の他方面に対して接近離反移動自在に第２の土べらを装着し、それぞれの前記土べらに前記本体部に向かう方向の押圧力を付勢する付勢手段を前記架台フレームに装着することを特徴とする。これにより、杭を引き抜くと杭の表面に付着した土砂が土べらにより杭から取り除かれることになる。また、地盤が傾斜していても土べらが付勢力に抗して移動するので、杭から土砂を確実に取り除くことができる。
【００１７】
本発明の好ましい形態において、前記付勢手段をばね部材により構成することを特徴とする。これにより、簡単な構造により土べらに対して付勢力を加えることができる。
【００１８】
本発明の好ましい形態において、前記杭を前記本体部の両側辺に一体にフランジ部が設けられたＨ形鋼ないしＩ形鋼とし、それぞれの前記土べらを前記両辺のフランジ部間の間隔に対応させて交換自在に前記架台フレームに装着することを特徴とする。このように、土べらを交換自在とすることにより、種々のサイズの杭に対して土砂の取り除きを杭の引き抜きとともに行うことができる。
【発明の効果】
【００１９】
本発明によれば以下の効果を奏することができる。
【００２０】
すなわち、本発明によれば、引き抜くべき杭の周囲に広いスペースが確保されない場合でも確実に杭抜き作業を行うことが可能になるとともに、反力フレームは架台フレームに対して傾斜移動できるので、地盤が傾斜していても杭の引き抜き作業を円滑に行うことが可能になる。
【００２１】
また、本発明によれば、杭を引き抜くときに杭の表面に付着した土砂を土べらにより杭から自動的に取り除くことが可能になり、地盤が傾斜していても土べらが付勢力に抗して移動するので、杭から土砂を確実に取り除くことが可能になる。
【００２２】
さらに、本発明によれば、Ｈ形鋼以外にＬ形鋼等の種々のタイプおよびサイズの杭を引き抜くことが可能になる。
【発明を実施するための最良の形態】
【００２３】
以下、本発明を実施するための最良の形態を、図面を参照しつつさらに具体的に説明する。なお、添付図面において共通の機能を有する部材には同一の符号が付されている。また、ここでの説明は本発明が実施される最良の形態を示すものであり、本発明は当該実施の形態に限定されるものではない。
【００２４】
図１は本発明の油圧式引き抜き装置の全体を示す斜視図であり、この引き抜き装置は、地盤中に圧入等の手段により埋設された杭１０を引き抜くために、杭１０を囲むように地盤表面に配置されるほぼ四辺形の架台フレーム１１と、この架台フレームの四隅に固定される４本の支柱１２ａ〜１２ｄとを有し、支柱１２ａ〜１２ｄの上には反力フレーム１３が載置されるようになっている。地盤中に埋設された杭１０はＨ形鋼であり、図１に示すように、帯状のウエブ（本体部）１０ａと、このウエブ１０ａの両側辺に一体に設けられたフランジ部１０ｂ，１０ｃとを有しており、フランジ部１０ｂ，１０ｃはそれぞれウエブ１０ａの両面に対して直角となっている。
【００２５】
図２は図１に示された反力フレーム１３を取り除いた状態における引き抜き装置を示す斜視図であり、図３は図１および図２に示された架台フレーム１１を示す斜視図であり、図４は架台フレーム１１の平面図であり、図５は図１の正面図であり、図６は図５の右側面図であり、図７は図１におけるＡ−Ａ線方向の矢視図である。
【００２６】
図３に示すように、架台フレーム１１は引き抜き装置を地盤表面に配置したときに杭１０のウエブ１０ａに対して杭１０を囲むように平行となる２枚の支持プレート１４ａ，１４ｂを有し、それぞれの支持プレート１４ａ，１４ｂの両端部にはスペーサ１５が設けられている。それぞれの支持プレート１４ａ，１４ｂの上にはこれらに平行にスペーサ１５を介して枠片１６ａ，１６ｂが固定され、それぞれの支持プレート１４ａ，１４ｂの一端部にはそれぞれに対して直角にスペーサ１５を介して枠片１６ｃが固定され、それぞれの支持プレート１４ａ，１４ｂの他端部には枠片１６ｃに平行にスペーサ１５を介して枠片１６ｄが固定されている。それぞれの枠片１６ａ〜１６ｄはＨ形鋼により形成されており、２つの枠片１６ａ，１６ｂの内側には連結プレート１７がそれぞれ溶接され、他の２つの枠片１６ｃ，１６ｄの両端面には連結プレート１８が溶接されており、図５に示すように、連結プレート１７，１８をボルト１９により連結するとともに、それぞれの枠片１６ａ，１６ｂの下面にはスペーサ１５を介して支持プレート１４ａ，１４ｂがボルト１９により固定されている。このように、架台フレーム１１は中央部にスペースを有する四辺形となっている。なお、図３においてはボルト１９が省略されている。
【００２７】
図２に示すように、枠片１６ａの両端部には支柱１２ａ，１２ｂが固定され、枠片１６ｂの両端には支柱１２ｃ，１２ｄが固定されており、支柱１２ａ〜１２ｄはそれぞれ架台フレーム１１の四隅に取り付けられている。それぞれの支柱１２ａ〜１２ｄは相互に上下寸法が相違する下側の支柱片２２と上側の支柱片２３とを連結することにより形成されている。それぞれの支柱片２２，２３は上下両端面に連結プレート２４が溶接されたＨ形鋼により形成され、それぞれの支柱１２ａ〜１２ｄは下側の支柱片２２の連結プレート２４をボルト１９により枠片１６ａ，１６ｂに固定することによって架台フレーム１１に固定されている。なお、２本の支柱片を上下に連結して支柱を構成するのではなく、１本で構成してもよい。あるいは、３本以上の支柱片を上下に連結して構成してもよい。
【００２８】
図１に示すように、支柱１２ａ〜１２ｄの上に載置される反力フレーム１３は、枠片１６ａ，１６ｂに平行な２つの枠片２５ａ，２５ｂと、枠片２５ａ，２５ｂの両端部に連結されて相互に平行となった２つの枠片２５ｃ，２５ｄとを有している。それぞれの枠片２５ａ〜２５ｄはＨ形鋼により形成されており、２つの枠片２５ａ，２５ｂは本体部が水平となって一方のフランジ部が相互に対向し合っている。これに対し、他の２つの枠片２５ｃ，２５ｄは本体部が垂直となって両側のフランジ部が上下に配置されており、両端面に溶接された連結プレート２６の部分で他の２つの枠片２５ａ，２５ｂにボルト１９により固定されている。このように、反力フレーム１３は架台フレーム１１と同様に中央部にスペースを有する四辺形となっている。なお、図１においてはボルト１９が省略されている。
【００２９】
このように、架台フレーム１１と支柱１２ａ〜１２ｄと反力フレーム１３はいずれも複数のＨ形鋼を組み合わせることにより形成されているので、予めそれぞれのＨ形鋼をトラック等により工事現場に搬送して工事現場において油圧式引き抜き装置を組み立てることができる。また、予め架台フレーム１１と反力フレーム１３とをそれぞれ組み立てた状態としてトラック等により工事現場にまで搬送するようにし、工事現場において架台フレーム１１に支柱１２ａ〜１２ｄを取り付けるようにしてもよい。なお、架台フレーム、支柱および反力フレームは、本実施の形態のようなＨ形鋼ではなく、例えば鋼管など他の様々な鋼材で形成することができる。
【００３０】
反力フレーム１３の２つの枠片２５ａ，２５ｂの内側には、図７に示すように、それぞれチャック支持板２７ａ，２７ｂが固定され、それぞれのチャック支持板２７ａ，２７ｂには締結ジャッキ２８ａ，２８ｂが相互に対向するように取り付けられており、それぞれの締結ジャッキ２８ａ，２８ｂは油圧により進退移動する図示しないピストンロッドを有している。チャック支持板２７ａ，２７ｂにはチャックガイド２９ａ，２９ｂが固定され、それぞれのチャックガイド２９ａ，２９ｂには締結ジャッキ２８ａ，２８ｂにより直線方向に往復動される往復動部材３１ａ，３１ｂが移動自在に組み込まれている。
【００３１】
図８は図７に示されたチャックガイド２９ａ，２９ｂと往復動部材３１ａ，３１ｂを拡大して示す分解斜視図であり、それぞれの往復動部材３１ａ，３１ｂの先端面には支持プレート３２ａ，３２ｂが固定されるようになっている。それぞれの支持プレート３２ａ，３２ｂには、図７に示すように、杭１０のウエブ１０ａにそれぞれ圧接するチャッキングプレート３３ａ，３３ｂがチャッキング部材として取り付けられるようになっている。これにより、それぞれの締結ジャッキ２８ａ，２８ｂを作動させると、締結ジャッキ２８ａ，２８ｂが往復動部材３１ａ，３１ｂを介してチャッキングプレート３３ａ，３３ｂをウエブ１０ａの両面から締結し、杭１０は反力フレーム１３に締結された状態となる。
【００３２】
図７に示すように、架台フレーム１１を構成する２つの枠片１６ａ，１６ｂの内側にはそれぞれ支持台３５ａ，３５ｂが固定され、それぞれの支持台３５ａ，３５ｂには反力フレーム１３を上昇移動させるための引き抜きジャッキ３６ａ，３６ｂが取り付けられている。それぞれの引き抜きジャッキ３６ａ，３６ｂは油圧により進退移動するピストンロッド３７を有しており、ピストンロッド３７の先端にはユニバーサルヘッド３８が配置されている。このユニバーサルヘッド３８はピストンロッド３７の先端に設けられた球面形状の凹面に接触する球面形状の凸面３９を有し、いずれの方向にも傾斜移動可能となっている。
【００３３】
支柱１２ａ〜１２ｄの上に載置された反力フレーム１３を引き抜きジャッキ３６ａ，３６ｂにより上昇移動させる際に、支柱１２ａ〜１２ｄの外側に接触するガイド部材４０が図１および図６に示すように反力フレーム１３の下面に取り付けられている。反力フレーム１３を下降移動させる際にも反力フレーム１３はガイド部材４０によってそれぞれの支柱１２ａ〜１２ｄに案内されながら下降移動することになり、反力フレーム１３はガイド部材４０によって案内されて支柱１２ａ〜１２ｄの上方を上下動することになる。
【００３４】
図９は架台フレーム１１の支持プレート１４ａ，１４ｂを示す平面図であり、それぞれの支持プレート１４ａ，１４ｂの両端部に固定されたスペーサ１５の間には、それぞれ土べら４１ａ，４１ｂが杭１０のウエブ１０ａに向けて接近離反移動自在に装着されている。一方の土べら４１ａはウエブ１０ａの一方面に向けて移動する第１の土べらとなっており、他方の土べら４１ｂはウエブ１０ａの他方面に向けて移動する第２の土べらとなっており、それぞれの土べら４１ａ，４１ｂの幅寸法はスペーサ１５相互間の距離よりも小さく設定されており、土べら４１ａ，４１ｂは幅方向にも移動自在となっている。
【００３５】
土べら４１ａに対してウエブ１０ａに向かう方向のばね力を付勢するために、図３に示すように、枠片１６ａに固定された２本のガイドロッド４２には土べら４１ａに当接するガイドプレート４３が移動自在に取り付けられており、ナット４４がねじ結合する雄ねじ４６がそれぞれのガイドロッド４２に形成されるとともに、ナット４４とガイドプレート４３との間には圧縮コイルばねからなるばね部材４５が装着されている。同様に、土べら４１ｂに対してウエブ１０ａに向かう方向のばね力を付勢するために、枠片１６ｂに固定された２本のガイドロッド４２には土べら４１ｂに当接するガイドプレート４３が移動自在に取り付けられており、ナット４４がねじ結合する雄ねじ４６がそれぞれのガイドロッド４２に形成されるとともに、ナット４４とガイドプレート４３との間には圧縮コイルばねからなるばね部材４５が装着されている。それぞれの土べら４１ａ，４１ｂは引き抜かれる杭１０のサイズに応じて種々のサイズのものを交換することができるように着脱自在に架台フレーム１１に装着されている。
【００３６】
次に、上述した油圧式引き抜き装置を用いた杭の引き抜き作業手順について説明する。まず、引き抜き作業が行われる杭１０の周囲を囲むようにして図２に示すように、架台フレーム１１を地盤の上面に配置する。架台フレーム１１を地盤の上面に配置する際には、それぞれの土べら４１ａ，４１ｂをばね力に抗して後退移動させて、土べら４１ａ，４１ｂの先端と杭１０のウエブ１０ａとが干渉しないようにする。引き抜き作業が行われる杭１０は、その上端部の地盤から突出長さが所定の長さとなるように、予め準備作業が行われる。図２に示す場合には、予め支柱１２ａ〜１２ｄと引き抜きジャッキ３６ａ，３６ｂが取り付けられた状態の架台フレーム１１を地盤の上に配置するようにしているが、架台フレーム１１を配置した後に、支柱１２ａ〜１２ｄと引き抜きジャッキ３６ａ，３６ｂと架台フレーム１１に取り付けるようにしてもよい。
【００３７】
次いで、支柱１２ａ〜１２ｄの上には反力フレーム１３がクレーン等を用いて載置され、反力フレーム１３が載置された状態を示すと、図１の通りである。この状態のもとでそれぞれの締結ジャッキ２８ａ，２８ｂを駆動し、チャッキングプレート３３ａ，３３ｂを前進移動させてこれらのチャッキングプレート３３ａ，３３ｂを介して杭１０のウエブ１０ａをその両面から締結ジャッキ２８ａ，２８ｂにより押圧した後に、引き抜きジャッキ３６ａ，３６ｂを駆動して反力フレーム１３を上昇移動させる。これにより、杭１０は引き抜きジャッキ３６ａ，３６ｂのピストンロッド３７の上昇ストローク分だけ引き抜かれることになる。この引き抜き移動時には、杭１０のウエブ１０ａの両面に向けて土べら４１ａ，４１ｂが押し付けられているので、杭１０の引き抜き時に杭１０に付着した土砂は土べら４１ａ，４１ｂにより杭１０の表面から取り除かれる。
【００３８】
このように所定のストロークだけ上昇移動させた後に、締結ジャッキ２８ａ，２８ｂを後退移動させてチャッキングプレート３３ａ，３３ｂを後退移動させるとともに、引き抜きジャッキ３６ａ，３６ｂを後退移動させて反力フレーム１３を下降移動させる。この状態のもとで、上述したように、締結ジャッキ２８ａ，２８ｂにより杭１０のウエブ１０ａの両面を押圧した後に引き抜きジャッキ３６ａ，３６ｂにより反力フレーム１３を上昇移動させてさらに杭１０を所定のストロークだけ引き抜き操作を行うとともに土べら４１ａ，４１ｂにより杭１０に付着した土砂を取り除く。このようにして、反力フレーム１３の上昇移動により引き抜き操作を所定回数行うことにより、杭１０は地盤から引き抜かれることになる。
【００３９】
図１０は杭１０のウエブ１０ａの表面が地盤表面に対して傾斜するように、地盤表面が破線に示す水平面よりも杭１０に対して傾斜している状態を示し、図１１は杭１０のフランジ部１０ｂ，１０ｃの表面が地盤表面に対して傾斜するように、地盤表面が破線に示す水平面よりも杭１０に対して傾斜している状態を示す。
【００４０】
図１０および図１１に示すように、地盤表面が杭１０に対して傾斜した状態となっていると、締結ジャッキ２８ａ，２８ｂが杭１０を押圧することにより反力フレーム１３は杭１０に対して直角となるので、反力フレーム１３は架台フレーム１１とは平行にならないが、引き抜きジャッキ３６ａ，３６ｂの先端に設けられたユニバーサルヘッド３８が反力フレーム１３の架台フレーム１１に対する傾斜に応じて傾斜移動するので、２つの引き抜きジャッキ３６ａ，３６ｂは確実に反力フレーム１３を上昇させて杭１０を引き抜き操作することができる。ユニバーサルヘッド３８の上面は反力フレーム１３の下面に接触しており、反力フレーム１３はユニバーサルヘッド３８に対して摺動することができるので、傾斜した杭１０を引き抜く際に、反力フレーム１３が架台フレーム１１に対して水平方向に移動しても引き抜き操作を確実に行うことができる。なお、杭１０が図９および図１０に示す両方の方向に傾斜していても同様に引き抜き作業を確実に行うことができる。
【００４１】
さらに、図１０および図１１に示すように、地盤表面が杭１０に対して傾斜した状態となっていると、引き抜き作業の進行に伴って杭１０と架台フレーム１１との相対位置が変化するが、そのときには、土べら４１ａ，４１ｂは架台フレーム１１に対して進退移動方向および幅方向に移動自在となっているので、杭１０と架台フレーム１１との相対位置に応じて追従移動するとともに、土べら４１ａ，４１ｂにはばね力が加えられているので、杭１０の両面に付着した土砂を確実に取り除くことができる。杭１０に突起物が取り付けられており、その突起物が土べら４１ａ，４１ｂと干渉した場合には、土べら４１ａ，４１ｂをばね力に抗して後退移動させることにより容易に干渉を解除することができる。
【００４２】
図示する場合には、杭１０はＨ形鋼により形成されているが、Ｈ形鋼に限られずＩ形鋼、Ｌ形鋼および鋼矢板のように、帯状の本体部とこれの少なくとも一方の側辺に一体に設けられるフランジ部を有する杭の引き抜き作業に本発明を適用することができる。また、図示する場合には反力フレーム１３には２つの締結ジャッキ２８ａ，２８ｂが設けられているが、１つの締結ジャッキにより杭１０を両側から反力フレーム１３に締結するようにしてもよい。
【産業上の利用可能性】
【００４３】
本発明は、地盤中に埋め込まれたＨ形鋼などからなる杭を引き抜いて撤去するために適用することができる。
【図面の簡単な説明】
【００４４】
【図１】本発明の油圧式引き抜き装置の全体を示す斜視図である。
【図２】図１に示された反力フレームを取り除いた状態における引き抜き装置を示す斜視図である。
【図３】図１および図２に示された架台フレームを示す斜視図である。
【図４】架台フレームの平面図である。
【図５】図１の正面図である。
【図６】図５の右側面図である。
【図７】図１におけるＡ−Ａ線方向の矢視図である。
【図８】図７に示されたチャックガイドと往復動部材を拡大して示す分解斜視図である。
【図９】架台フレームの支持プレートを示す平面図である。
【図１０】破線に示す水平面よりも杭に対して傾斜した地盤表面に配置された油圧式引き抜き装置を示す正面図である。
【図１１】波線に示す水平面よりも杭に対して傾斜した地盤表面に配置された油圧式引き抜き装置を示す側面図である。
【符号の説明】
【００４５】
１０    杭
１０ａ  ウエブ（本体部）
１０ｂ，１０ｃ    フランジ部
１１    架台フレーム
１２ａ〜１２ｄ    支柱
１３    反力フレーム
１４ａ，１４ｂ    支持プレート
１５    スペーサ
１６ａ〜１６ｄ    枠片
２２，２３  支柱片
２５ａ〜２５ｄ  枠片
２８ａ，２８ｂ  締結ジャッキ
３３ａ，３３ｂ  チャッキングプレート（チャッキング部材）
３６ａ，３６ｂ  引き抜きジャッキ
３８    ユニバーサルヘッド
４１ａ，４１ｂ    土べら
４２    ガイドロッド
４３    ガイドプレート
４４    ナット
４５    ばね部材
【要約】
【課題】杭の引き抜き作業を狭いスペースでも行える油圧式引き機装置を提供する。
【解決手段】帯状のウエブ１０ａとこれの両側片のフランジ部１０ｂ，１０ｃとを有する杭１０を地盤中から引き抜くための油圧式引き抜き装置で、杭１０を囲むように地盤表面に配置される架台フレーム１１の四隅にはそれぞれ支柱１２ａ〜１２ｄが取り付けられ、支柱１２ａ〜１２ｄの上には反力フレーム１３が載置される。反力フレーム１３には杭１０を締結する締結ジャッキ２８ａ、２８ｂが設けられ、架台フレーム１１には杭１０が締結ジャッキ２８ａ，２８ｂにより反力フレーム１３に締結された状態のもとで反力フレーム１３を上昇させる引き抜きジャッキ３６ａ，３６ｂが取り付けられている。引き抜きジャッキ３６ａ，３６ｂの先端には反力フレーム１３の傾斜に対応して傾動するユニバーサルヘッド３８が設けられている。
【選択図】  図７
【図１】
0003727650.tif 000002
【図２】
0003727650.tif 000003
【図３】
0003727650.tif 000004
【図４】
0003727650.tif 000005
【図５】
0003727650.tif 000006
【図６】
0003727650.tif 000007
【図７】
0003727650.tif 000008
【図８】
0003727650.tif 000009
【図９】
0003727650.tif 000010
【図１０】
0003727650.tif 000011
【図１１】
0003727650.tif 000012